(57)【要約】【課題】  椅子と机とに形態を相互に組替えることができるとともに、椅子形態、机形態においても強度が高く、しかも両形態間の組替えが容易であり、更に収納、保管時にスタッキングして嵩張らないようにすることができる組替え可能な家具を提供する。【解決手段】  左右一対の脚部２が互に連結された脚フレーム１を備え、天板及び背凭れ板となる第１板体３と座板及び幕板となる第２板体４とを中央部で互に屈曲可能に枢着し、第１板体の端部側を脚フレームの上位に第１支持部５にて支持し、第２板体の端部側を脚フレームの下位に第２支持部６にて支持し、第１支持部と第２支持部の何れか一方が回動支持構造であり、他方が脚フレームに沿ったスライド支持構造であり、第１板体が略垂直で第２板体が略水平な椅子形態と、第１板体が略水平で第２板体が略垂直な机形態を実現可能とした。【選択図】        図１
2005160911.tif 000002
【特許請求の範囲】
【請求項１】
椅子と机とに形態を相互に組替え可能な家具であって、左右一対の脚部が互に連結された脚フレームを備え、天板及び背凭れ板となる第１板体と座板及び幕板となる第２板体とを中央部で互に屈曲可能に枢着し、前記第１板体の端部側を前記脚フレームの上位に第１支持部にて支持するとともに、前記第２板体の端部側を前記脚フレームの下位に第２支持部にて支持し、第１支持部と第２支持部の何れか一方が回動支持構造であり、他方が脚フレームに沿ったスライド支持構造であり、前記第１板体が略垂直で第２板体が略水平な椅子形態と、前記第１板体が略水平で第２板体が略垂直な机形態を実現可能としたことを特徴とする組替え可能な家具。
【請求項２】
前記スライド支持構造が、脚フレームに沿った少なくとも二つの異なる位置で移動不能に支持可能な構造である請求項１記載の組替え可能な家具。
【請求項３】
前記脚フレームの左右一対の脚部に傾斜杆を備え、前記第１板体と第２板体とが略直線状に傾斜杆に沿った格納形態をとることが可能な請求項１又は２記載の組替え可能な家具。
【請求項４】
前記脚部は、傾斜杆の前後端に前脚杆と後脚杆を一体形成したものであり、前記後脚杆の上端部同士を支持杆で連結するとともに、前記前脚杆同士を連結杆で連結して脚フレームを形成し、前記支持杆を回動支持構造における支軸とし、前記傾斜杆をスライド支持構造におけるガイドとしてなる請求項１〜３何れかに記載の組替え可能な家具。
【請求項５】
前記脚フレームは、両前脚杆の間隔よりも両後脚杆の間隔を広く設定し、椅子形態及び机形態において上下スタッキング可能とし、前記第１板体と第２板体とが略直線状に傾斜杆に沿った格納形態において水平スタッキング可能してなる請求項４記載の組替え可能な家具。
【発明の詳細な説明】
【技術分野】
【０００１】
本発明は、組替え可能な家具に係わり、更に詳しくは椅子と机とに形態を相互に組替え可能な家具に関するものである。
【背景技術】
【０００２】
従来は、椅子と机は使用目的が異なり、また形態も大きく相違することから、それらを共通の家具として組替えによって実現できるものは殆ど提供されていなかった。希に、高さの低い机をそのままの形態で椅子としても使用できるものはあった。
【０００３】
特許文献１には、脚フレームに、天板部と座板部とを約９０度の角度で一体化した可動体を略９０度回動可能に取付けた椅子兼用机が開示されている。この椅子兼用机は、天板部の表面側が上面に位置した際に、座板部が天板部の後方位置に略垂直に垂れ下がって幕板として機能し、それから天板部を後方側へ約９０度回動させて、前記座板部が略水平に位置した際に、前記天板部が座板部の後部に略垂直に立ち上がって該天板部の裏面側が前面に向いて背凭れ板として機能するものである。
【０００４】
前述の特許文献１に記載された椅子兼用机は、確かに椅子と机とに形態を相互に変更することができるが、収納、保管時にスタッキングして嵩張らないようにすることが不可能である。また、機構的には、天板部の両側に固定したブラケット部に円弧状の長孔を形成し、脚フレームの両脚部間の上方後部に渡設した支持杆に前記長孔を遊挿し、机形態では該長孔の後端に支持杆が位置するとともに、前部において両脚部の内側に突設した支持ピンで天板部の前部下面を載支し、更に脚部間の後端部に渡設した連結杆に前記ブラケットの後端部を当止し、一方、椅子形態では略垂直な天板部の状態で前記長孔の上端に支持杆が位置するとともに、天板部の背面に位置する表面側が前記連結杆に当止する構造である。従って、机形態はともかく、椅子形態では座板部が片持ち状態となって強度的に問題があるばかりでなく、前記支持ピンが着座側に突出しているので邪魔になるのである。
【特許文献１】意匠登録第１１７１５２１号公報
【発明の開示】
【発明が解決しようとする課題】
【０００５】
そこで、本発明が前述の状況に鑑み、解決しようとするところは、椅子と机とに形態を相互に組替えることができるとともに、椅子形態、机形態においても強度が高く、しかも両形態間の組替えが容易であり、更に収納、保管時にスタッキングして嵩張らないようにすることができる組替え可能な家具を提供する点にある。
【課題を解決するための手段】
【０００６】
本発明は、前述の課題解決のために、椅子と机とに形態を相互に組替え可能な家具であって、左右一対の脚部が互に連結された脚フレームを備え、天板及び背凭れ板となる第１板体と座板及び幕板となる第２板体とを中央部で互に屈曲可能に枢着し、前記第１板体の端部側を前記脚フレームの上位に第１支持部にて支持するとともに、前記第２板体の端部側を前記脚フレームの下位に第２支持部にて支持し、第１支持部と第２支持部の何れか一方が回動支持構造であり、他方が脚フレームに沿ったスライド支持構造であり、前記第１板体が略垂直で第２板体が略水平な椅子形態と、前記第１板体が略水平で第２板体が略垂直な机形態を実現可能とした組替え可能な家具を構成した（請求項１）。
【０００７】
ここで、前記スライド支持構造が、脚フレームに沿った少なくとも二つの異なる位置で移動不能に支持可能な構造である（請求項２）。
【０００８】
また、前記脚フレームの左右一対の脚部に傾斜杆を備え、前記第１板体と第２板体とが略直線状に傾斜杆に沿った格納形態をとることが可能となした（請求項３）。
【０００９】
そして、前記脚部は、傾斜杆の前後端に前脚杆と後脚杆を一体形成したものであり、前記後脚杆の上端部同士を支持杆で連結するとともに、前記前脚杆同士を連結杆で連結して脚フレームを形成し、前記支持杆を回動支持構造における支軸とし、前記傾斜杆をスライド支持構造におけるガイドとしてなることが好ましい（請求項４）。
【００１０】
更に、前記脚フレームは、両前脚杆の間隔よりも両後脚杆の間隔を広く設定し、椅子形態及び机形態において上下スタッキング可能とし、前記第１板体と第２板体とが略直線状に傾斜杆に沿った格納形態において水平スタッキング可能してなることが好ましい（請求項５）。
【発明の効果】
【００１１】
以上にしてなる請求項１に係る発明の組替え可能な家具は、第１板体が略垂直で第２板体が略水平な椅子形態と、第１板体が略水平で第２板体が略垂直な机形態を実現することができ、また第１支持部と第２支持部の何れか一方が回動支持構造、他方が脚フレームに沿ったスライド支持構造としたことにより、両形態間の変更も簡単に行うことができる。しかも、両形態において、第１板体と第２板体の端部側が、それぞれ第１支持部と第２支持部によって脚フレームに支持する構造であるので、脚フレームの強度を十分に確保することができれば、第１板体と第２板体の支持強度も構造的に高くすることができる。
【００１２】
請求項２によれば、椅子形態から机形態へ、机形態から椅子形態への変更の際に、スライド支持構造となっている第１支持部と第２支持部の何れか一方が脚フレームに沿って移動し、その位置で移動不能とするので、両形態を確実に維持できるとともに、形態変更の途中の状態でも安定に状態を維持させることができる。
【００１３】
請求項３によれば、脚フレームの左右一対の脚部に傾斜杆を備えていることにより、椅子形態と机形態間の形態変更時に第１支持部又は第２支持部が傾斜杆に沿って移動するので、形態間の変更が簡単にでき、支持強度も高くなり、更に第１板体と第２板体とが略直線状に傾斜杆に沿った格納形態をとることができるので、安定且つ嵩張らない水平スタッキングが可能となる。
【００１４】
請求項４によれば、構造が簡単であるが、脚フレームの強度と、第１板体と第２板体の支持強度を高めることができる。
【００１５】
請求項５によれば、椅子形態及び机形態においても上下スタッキングを実現することができ、また第１板体と第２板体とが略直線状に傾斜杆に沿った格納形態においては水平スタッキングを実現することができる。
【発明を実施するための最良の形態】
【００１６】
次に、添付図面に基づいて本発明に係る組替え可能な家具を更に詳細に説明する。図１〜図６は本発明に係る組替え可能な家具の第１実施形態を示し、図１〜図３は椅子形態、図４は机形態、図５は格納形態、図６は水平スタッキング状態を示し、図中符号１は脚フレーム、２は脚部、３は第１板体、４は第２板体、５は第１支持部、６は第２支持部をそれぞれ示している。
【００１７】
本発明に係る組替え可能な家具は、図１〜図３に示すように、左右一対の脚部２，２が互に連結された脚フレーム１を備え、天板及び背凭れ板となる第１板体３と座板及び幕板となる第２板体４とを中央部で互に屈曲可能に枢着し、前記第１板体３の端部側を前記脚フレーム１の上位に第１支持部５にて支持するとともに、前記第２板体４の端部側を前記脚フレーム１の下位に第２支持部６にて支持し、第１支持部５と第２支持部６の何れか一方が回動支持構造であり、他方が脚フレーム１に沿ったスライド支持構造としたものである。そして、図１に示すように、前記第１板体３が略垂直で第２板体４が略水平な椅子形態と、図４に示すように、前記第１板体３が略水平で第２板体４が略垂直な机形態を実現可能することができる。
【００１８】
更に詳しくは、前記脚フレーム１は、左右一対の脚部２，２を互に連結して剛体構造としたものであり、脚部２には傾斜杆７を備え、該傾斜杆７の前後端に前脚杆８と後脚杆９を一体形成したものであり、前記後脚杆９，９の上端部同士を支持杆１０で連結するとともに、前記前脚杆８，８同士を連結杆１１で連結した構造である。更に、前記脚フレーム１の両前脚杆８，８の間隔よりも両後脚杆９，９の間隔を広く設定している。
【００１９】
本実施形態では、前記脚フレーム１は、前記傾斜杆７、前脚杆８、後脚杆９及び連結杆１１を一本の連続した金属棒若しくは金属パイプを屈曲して構成したが、勿論複数の金属棒若しくは金属パイプを溶接して構成しても良い。前記支持杆１０は前記後脚杆９，９の上端部間に溶接若しくはネジ止めにて渡設している。更に、後述のように第１支持部５を回動支持構造とし、第２支持部６を前記脚フレーム１に沿ったスライド支持構造とし、前記支持杆１０を回動支持構造における支軸とし、前記傾斜杆７をスライド支持構造におけるガイドとしたので、少なくともこのガイド部分に相当する両傾斜杆７，７の略下半分は平行となっており、上半分が外側へ屈曲し、両前脚杆８，８の間隔よりも両後脚杆９，９の間隔を広くしている。また、前記後脚杆９の下端にはキャスター１２を設けるとともに、前記前脚杆８，８の下端間に渡設した連結杆１１を床面への接地部としている。
【００２０】
そして、前記第１板体３と第２板体４は、四角形の板状の部材であり、中央部で枢着部１３を介して屈曲可能に連結されている。そして、前記第１板体３の端部側を前記脚フレーム１の上位に回動支持構造とした第１支持部５にて支持するとともに、前記第２板体４の端部側を前記脚フレーム１の下位にスライド支持構造とした第２支持部６にて支持している。
【００２１】
前記第１支持部５は、前記支持杆１０を支軸とし、該支持杆１０に前記第１板体３の端部を回動可能に貫通した構造となっている。また、前記第２支持部６は、前記第２板体４の端部側の両側部に、前記傾斜杆７にスライド可能に外装したスライド部材１４を水平な軸にて回動可能に取付けるとともに、前記傾斜杆７の側面に形成した複数の係合孔１５，…のうち何れか一つの係合孔１５に係脱可能に係合する係合部材１６を前記スライド部材１４に設けている。本実施形態では、前記スライド部材１４は円筒状の部材であり、前記係合部材１６は該スライド部材１４に内外貫通するように螺合したボルトである。尚、前記係合孔１５と係合部材１６の１は、前記傾斜杆７に対して上面側又は下面側とすることが可能であり、その場合には側方に係合部材１６が突出することがなく、更に下面側にすることで上面にも突出しないので、最も好ましい。
【００２２】
そして、椅子形態は、図１〜図３に示すように、前記第１板体３を略垂直な状態とするとともに、前記第２板体４を略水平な状態として、前記第２支持部６による支持位置を決める。つまり、本実施形態では、傾斜杆７の最も上位に設けた係合孔１５に前記係合部材１６を係合させ、椅子形態を実現するのである。この椅子形態の場合、前記第１板体３が背凭れ板となり、第２板体４が座板となるのである。それから、図４に示した机形態へ変更するには、前記係合部材１６の係合を解除した状態で、前記スライド部材１４を傾斜杆７に沿って下方へスライド移動させ、前記第１板体３と第２板体４とが直線状になった後、前記枢着部１３を持ち上げるように該第１板体３と第２板体４を逆に屈曲させ、前記スライド部材１４を傾斜杆７に沿って上方へスライド移動させ、前記第１板体３が略水平となり、第２板体４が略垂直となった状態で、前記係合部材１６を所定の係合孔１５に係合させてその状態を維持するのである。この机形態の場合、前記第１板体３が天板となり、第２板体４が幕板となるのである。尚、机形態においては、前記後脚杆９，９側が前側となり、両後脚杆９，９間に着座者の足が入ることになる。また、机形態から椅子形態への変更も前記同様の操作により、簡単に行うことができる。
【００２３】
図５は、前記第２支持部６の係合部材１６による係合を解除して、スライド部材１４を傾斜杆７に沿って下方へ移動させ、前記第１板体３と第２板体４とが略直線状に傾斜杆７に沿った状態で前記係合部材１６を最下方の係合孔１５に係合させて形態を維持した格納形態を示している。この格納形態としたのち、図６に示すように、家具Ａの前記前脚杆８，８側から他の家具Ｂの後脚杆９，９間の空間内に押込むことにより水平スタッキングを実現でき、収納、保管時に嵩張らないようにすることができる。図は家具Ａ〜Ｃを水平スタッキングした様子を示しているが、前記傾斜杆７において前部の平行部分を長く設定し、後部の外側へ屈曲して拡開する部分を短くすることで、スタッキング密度を更に高めることができる。
【００２４】
図７〜図１０は、本発明に係る組替え可能な家具の第２実施形態を示している。本実施形態では、前記第１板体３の端部側を前記脚フレーム１の上位にスライド支持構造とした第１支持部５にて支持するとともに、前記第２板体４の端部側を前記脚フレーム１の下位に回動支持構造とした第２支持部６にて支持している。即ち、本実施形態の第１支持部５は、椅子形態において前記第１板体３の背面に上下方向にブラケット１７を取付け、該ブラケット１７には長手方向にスライド溝１８を形成して前記支持杆１０を貫通させるとともに、該スライド溝１８の第１板体３側の縁部であって少なくとも両終端部に係合凹部１９，…を形成している。また、前記第２支持部６は、前記第２板体４の端部を前記傾斜杆７の下位に単に傾動可能に枢支した構造である。そして、椅子形態と机形態では前記第１板体３の端部側の係合凹部１９に支持杆１０を係合させてその形態を維持し、格納形態では前記第１板体３の枢着部１３側の係合凹部１９に支持杆１０を係合してその状態を維持している。
【００２５】
更に、第２実施形態では、前記第１板体３と第２板体４との枢着部１３に工夫を加えている。つまり、前記第１支持部５を構成するブラケット１７を第１板体３の背面に設けたので、正方形のリンクを形成することができず、机形態において第１板体３を略水平に設定すると、椅子形態において第１板体３と第２板体４とのなす角度が鋭角になるから、椅子形態において第２板体４を略水平としつつ第１板体３を若干後傾するように設定できるように前記枢着部１３を工夫している。即ち、前記枢着部１３は、図９及び図１０に示すように、第２板体４の枢着側の中央部に切欠部２０を形成するとともに、第１板体３の枢着側の中央部に前記切欠部２０に係合する突部２１を形成し、該突部２１の先端部両側に突設したピン２２，２２を前記切欠部２０の対向面に形成したガイド溝２３，２３内でスライド移動可能とし、該ガイド溝２３の両終端部で前記ピン２２を保持するプッシュラッチ２４，２４を前記第２板体４の側面から前記ガイド溝２３内へ出没可能に設けた構造としている。机形態においては、前記ピン２２をガイド溝２３内の端部側に位置させて一方のプッシュラッチ２４で嵌合保持し、椅子形態においては、前記ピン２２をガイド溝２３内の奥部側に位置させて他方のプッシュラッチ２４で嵌合保持し、背凭れ板となる第１板体３が若干後傾姿勢になるように設定する。その他の構成は、第１実施形態と同様であるので、同一構成には同一符号を付してその説明は省略する。
【００２６】
図１１及び図１２は、本発明に係る組替え可能な家具の第３実施形態を示している。本実施形態も第２実施形態と同様に、前記第１板体３の端部側を前記脚フレーム１の上位にスライド支持構造とした第１支持部５にて支持するとともに、前記第２板体４の端部側を前記脚フレーム１の下位に回動支持構造とした第２支持部６にて支持している。本実施形態の第１支持部５は、前記第１板体３の端部側の側面に沿って長溝２５を形成し、前記脚部２の後脚杆９の上端部から内方へ突設した支持ピン２６の先端部を前記長溝２５内に位置させて、スライド可能に支持するとともに、前記長溝２５の少なくとも両終端部の底面部に係合凹部２７，…を形成し、何れかの係合凹部２７に前記支持ピン２６の先端から出没する図示しない係合ピンが係合し、椅子形態、机形態及び格納形態を維持するようにしている。尚、前記支持ピン２６自体をプッシュラッチ構造とすることも可能である。その他の構成は、第１実施形態又は第２実施形態と同様であるので、同一構成には同一符号を付してその説明は省略する。
【００２７】
そして、図１３は、椅子形態における第１板体３の背面及び机形態における第１板体３の下面に書籍、ノート、小物、更にはカバン等の物品を収納できる収納具２８をオプションとして設けたものである。前記収納具２８は、ネット状の一端が開放した形状のもので、適宜な取付手段によって第１板体３の背面若しくは下面に着脱可能に取付けられている。図示したものは、前記収納具２８の開放部側に設けたフック部２９を第１板体３の端部に係止するとともに、収納具２８の反対側に設けた取付板３０を第１板体３の背面にネジ止めした構造である。この収納具２８は、椅子形態においては背凭れ板となる第１板体３の背面に位置し、上方の開放部から物品を落とし込んで収納し、机形態においては天板となる第１板体３の下面に位置し、手前の開放部から物品を押込んで収納することができるのである。尚、机形態においては前記収納具２８としてセンター引出しのような構造にすることも可能である。
【図面の簡単な説明】
【００２８】
【図１】本発明に係る組替え可能な家具の第１実施形態を示し、椅子形態の簡略斜視図である。
【図２】同じく椅子形態の簡略平面図である。
【図３】同じく椅子形態の簡略側面図である。
【図４】同じく机形態の簡略斜視図である。
【図５】同じく格納形態の簡略側面図である。
【図６】水平スタッキング状態を示す簡略側面図である。
【図７】本発明に係る組替え可能な家具の第２実施形態を示す簡略側面図である。
【図８】同じく格納形態を示す簡略側面図である。
【図９】同じく第１板体と第２板体の枢着部の構造を示す斜視図である。
【図１０】同じく枢着部の部分説明図である。
【図１１】本発明に係る組替え可能な家具の第３実施形態を示す簡略側面図である。
【図１２】同じく格納形態を示す簡略側面図である。
【図１３】第１板体の背面に設けた収納具を示す簡略説明図である。
【符号の説明】
【００２９】
１  脚フレーム      ２  脚部
３  第１板体        ４  第２板体
５  第１支持部      ６  第２支持部
７  傾斜杆          ８  前脚杆
９  後脚杆          １０  支持杆
１１  連結杆        １２  キャスター
１３  枢着部        １４  スライド部材
１５  係合孔        １６  係合部材
１７  ブラケット    １８  スライド溝
１９  係合凹部      ２０  切欠部
２１  突部          ２２  ピン
２３  ガイド溝      ２４  プッシュラッチ
２５  長溝          ２６  支持ピン
２７  係合凹部      ２８  収納具
２９  フック部      ３０  取付板
Ａ，Ｂ，Ｃ  家具
【図１】
2005160911.tif 000003
【図２】
2005160911.tif 000004
【図３】
2005160911.tif 000005
【図４】
2005160911.tif 000006
【図５】
2005160911.tif 000007
【図６】
2005160911.tif 000008
【図７】
2005160911.tif 000009
【図８】
2005160911.tif 000010
【図９】
2005160911.tif 000011
【図１０】
2005160911.tif 000012
【図１１】
2005160911.tif 000013
【図１２】
2005160911.tif 000014
【図１３】
2005160911.tif 000015